(57)【特許請求の範囲】
【請求項１】
基準部材に設けられた所定の軸方向に延びる一対の筒状部と、
前記一対の筒状部の内周面に沿って前記軸方向にスライドする一対の案内軸と、
第１のレンズを保持する第１の保持部材と、
前記第１のレンズとは異なる第２のレンズを保持し、前記筒状部の外周面に沿って前記軸方向にスライドする第２の保持部材と、を備え、
前記一対の案内軸のうち一方の案内軸は、その一端部において前記第１の保持部材に固定され、
前記一対の案内軸のうち他方の案内軸は、その一端側に前記第１のレンズの径方向に沿って形成された第１係合部を有し、
前記第１の保持部材は、前記第１係合部と係合する第２係合部を有し、
前記第１係合部と前記第２係合部との係合により、前記他方の案内軸は前記第１の保持部材に対して、前記軸方向の移動が規制され、前記第１のレンズの径方向に移動可能とされていることを特徴とするレンズ鏡筒。
【請求項２】
前記第１係合部は、前記他方の案内軸の前記一端側に形成された溝であることを特徴とする請求項１に記載のレンズ鏡筒。
【請求項３】
前記一対の筒状部は、前記レンズ鏡筒の光軸を基準として１８０度対向する位置に配置されていることを特徴とする請求項１又は２に記載のレンズ鏡筒。
【請求項４】
請求項１〜３のいずれか一項に記載のレンズ鏡筒と、
前記レンズ鏡筒により結ばれた画像を撮像する撮像部と、を備える撮像装置。
【発明の詳細な説明】
【技術分野】
【０００１】
本発明は、レンズ鏡筒及び撮像装置に関し、特に複数のレンズを保持するレンズ鏡筒及び当該レンズ鏡筒を具備する撮像装置に関する。
【背景技術】
【０００２】
従来、カメラのレンズ鏡筒は、撮像部に装着された状態で、撮像部に対して固定される固定筒と、その固定筒に対して回転するカム筒と、そのカム筒の回転により光軸方向に移動する複数のレンズ群を備えている（例えば、特許文献１参照）。
【先行技術文献】
【特許文献】
【０００３】
【特許文献１】特開２０００−８９０８６号公報
【発明の概要】
【発明が解決しようとする課題】
【０００４】
このようなレンズ鏡筒は、光学性能を確保するために、設計上において種々の制約がある。当該制約下で光学性能を確保するためには、レンズ鏡筒内の構造は、簡素化されているほうがよい。
【０００５】
そこで本発明は上記の課題に鑑みてなされたものであり、構造の簡素化が図られたレンズ鏡筒及び撮像装置を提供することを目的とする。
【課題を解決するための手段】
【０００６】
本発明のレンズ鏡筒は、基準部材（１０）に設けられた所定の軸（ＡＸ）方向に延びる一対の筒状部（３６Ａ，３６Ｂ）と、前記一対の筒状部の内周面に沿って前記軸方向にスライドする一対の案内軸（３０Ａ，３０Ｂ）と、第１のレンズ（Ｌ２）を保持する第１の保持部材（１２）と、前記第１のレンズとは異なる第２のレンズ（Ｌ３〜Ｌ５）を保持し、前記筒状部の外周面に沿って前記軸方向にスライドする第２の保持部材（１３，１４）と、を備え、前記一対の案内軸のうち一方の案内軸（３０Ａ）は、その一端部において前記第１の保持部材に固定され、前記一対の案内軸のうち他方の案内軸（３０Ｂ）は、その一端側に前記第１レンズの径方向に沿って形成された第１係合部を有し、前記第１の保持部材は、前記第１係合部と係合する第２係合部を有し、前記第１係合部と前記第２係合部との係合により、前記他方の案内軸は前記第１の保持部材に対して、前記軸方向の移動が規制され、前記第１のレンズの径方向に移動可能とされている。
【０００７】
この場合において、前記第１係合部は、前記他方の案内軸の前記一端側に形成された溝であるとすることができる。
【０００８】
また、本発明のレンズ鏡筒では、前記一対の筒状部は、前記レンズ鏡筒の光軸を基準として１８０度対向する位置に配置されていることとしてもよい。
【０００９】
本発明の撮像装置は、本発明のレンズ鏡筒（１００）と、前記レンズ鏡筒により結ばれた画像を撮像する撮像部（２００）と、を備える撮像装置である。
【００１０】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１１】
本発明のレンズ鏡筒及び撮像装置は、構造の簡素化を図ることができるという効果を奏する。
【図面の簡単な説明】
【００１２】
【図１】一実施形態に係るカメラの構成を概略的に示す図である。
【図２】レンズ鏡筒が広角端にある状態を示す断面図である。
【図３】レンズ鏡筒が望遠端までズームされた状態を示す断面図である。
【図４】２群レンズ摺動筒及びその近傍を取り出して示す図である。
【図５】図５（ａ）〜図５（ｃ）は、係合筒とガイドバーとの係合について説明するための図である。
【図６】３，５群レンズ摺動筒、４群レンズ摺動筒及びその近傍を取り出して示す図である。
【発明を実施するための形態】
【００１３】
以下、一実施形態に係るカメラ及び当該カメラが具備するレンズ鏡筒について、図１〜図６に基づいて詳細に説明する。
【００１４】
図１には、一実施形態に係るカメラ５００が模式的に示されている。この図１に示すようにカメラ５００は、撮像部２００と、レンズ鏡筒１００と、を備える。
【００１５】
撮像部２００は、筐体２１０と、この筐体２１０内に収容された主鏡２１２、ペンタプリズム２１４、接眼光学系２１６を含む光学系と、焦点検出装置２３０と、シャッタ２３４と、撮像素子２３８と、メインＬＣＤ２４０と、主制御部２５０と、を有する。
【００１６】
主鏡２１２は、図１の状態では、レンズ鏡筒１００から入射した入射光の大半を上方に配置されたフォーカシングスクリーン２２２に導く。フォーカシングスクリーン２２２は、レンズ鏡筒１００内の光学系の合焦位置に配置され、レンズ鏡筒１００内の光学系により形成された画像を結像させる。
【００１７】
ペンタプリズム２１４は、フォーカシングスクリーン２２２に結像された画像を、反射した後、ハーフミラー２２４を介して、接眼光学系２１６まで導く。これにより、接眼光学系２１６では、フォーカシングスクリーン２２２上の映像を正像として観察することができる。この場合、ハーフミラー２２４は、ファインダＬＣＤ２２６に形成された撮影条件や設定条件等を示す表示画像をフォーカシングスクリーン２２２の映像に重畳させる。したがって、接眼光学系２１６の出射端においては、フォーカシングスクリーン２２２の映像とファインダＬＣＤ２２６の画像とが重ね合わせられた状態を観察することができる。なお、ペンタプリズム２１４の出射光の一部は、測光部２２８に導かれ、当該測光部２２８にて、入射光の強度及びその分布等が測定される。
【００１８】
焦点検出装置２３０は、主鏡２１２を透過し、かつ主鏡２１２の裏面側に設けられた副鏡２３２にて反射された光を用いて、レンズ鏡筒１００内の光学系の焦点調整状態（ピント状態）を検出する。なお、主鏡２１２及び副鏡２３２は、撮影の際には、レンズ鏡筒１００から入射する入射光の光路から退避するように、図１に破線にて示す位置まで上昇する。
【００１９】
シャッタ２３４は、主鏡２１２後方（レンズ鏡筒１００から入射する入射光の光路後方）に配置され、撮影の際には、主鏡２１２及び副鏡２３２の上昇動作と連動して、開放動作を行う。シャッタ２３４が開放された状態では、光学フィルタ２３６を介して撮像素子２３８にレンズ鏡筒１００からの入射光が入射する。撮像素子２３８は、入射光が形成する画像を電気信号に変換する。
【００２０】
メインＬＣＤ２４０は、その表示画面部分が筐体２１０の外部に露出した状態となっている。このメインＬＣＤ２４０の表示画面上には、撮像素子２３８上に形成された映像（撮影された映像）のほか、撮像部２００における各種設定情報などが表示される。
【００２１】
主制御部２５０は、上記各部の種々動作を統括的に制御する。また、主制御部２５０は、撮像部２００内の焦点検出装置２３０が検出した光学系の焦点調整状態の情報を参照して、レンズ鏡筒１００内の光学系（レンズＬ１〜Ｌ５）を駆動したり（オートフォーカス）、レンズ鏡筒１００内の光学系の動作量を参照して、合焦していることをファインダＬＣＤ２２６に表示したりする（フォーカスエイド）。
【００２２】
次に、レンズ鏡筒１００の構成について、図２〜図６に基づいて詳細に説明する。
【００２３】
図２、図３には、レンズ鏡筒１００の断面図が示されている。これらのうち、図２は、レンズ鏡筒１００が広角端にある状態を示し、図３は、レンズ鏡筒１００が、望遠端までズームされた状態を示す。これらの図に示すように、レンズ鏡筒１００は、共通の光軸ＡＸ上に配列された１群レンズＬ１、２群レンズＬ２、３群レンズＬ３、４群レンズＬ４、５群レンズＬ５を有する。なお、以下においては、光軸ＡＸ方向の１群レンズＬ１側を前側、５群レンズＬ５側を後側として説明する。
【００２４】
レンズ鏡筒１００は、図２、図３に示すように、固定筒１０と、１群レンズＬ１を保持する１群レンズ摺動筒１１と、２群レンズＬ２を保持する２群レンズ摺動筒１２と、３群レンズＬ３及び５群レンズＬ５を保持する３，５群レンズ摺動筒１３と、４群レンズＬ４を保持する４群レンズ摺動筒１４と、を備える。
【００２５】
固定筒１０は、基部１０ａにおいて、撮像部２００に固定される。この固定状態では、固定筒１０の撮像部２００側の端面１０ｂが撮像部２００（図１の筐体２１０）に密接することにより、固定筒１０、すなわちレンズ鏡筒１００が撮像部２００に対して位置決めされる。固定筒１０は、その内周面の上側部分（天井部分）近傍において、ガイドパイプ３６Ａを支持し、その内周面の下側部分近傍において、ガイドパイプ３６Ｂを支持する。これらガイドパイプ３６Ａ及び３６Ｂは、レンズ鏡筒１００の光軸（ＡＸ）を基準として１８０度対向する位置（光軸からの距離が略同一で、光軸を挟んで相対向する位置）に配置されている。
【００２６】
１群レンズ摺動筒１１は、当該１群レンズ摺動筒１１の内側に設けられたズーム駆動筒１６と連動可能に連結されている。具体的には、１群レンズ摺動筒１１に植設されたカムピン１５が、ズーム駆動筒１６に形成されたカム溝１６ａに係合した状態となっている。
【００２７】
一方、ズーム駆動筒１６は、レンズ鏡筒１００の最外周において光軸ＡＸ回りの回転が自在とされたズーム操作環１８と連動可能に連結されている。具体的には、ズーム駆動筒１６から外側に突設された駆動力伝達ピン１９が、ズーム操作環１８の内面に形成された光軸ＡＸに平行な操作溝１８ａに係合している。これにより、ズーム駆動筒１６は、ズーム操作環１８の回転に連動して回転する。ズーム操作環１８は、前後方向への移動ができないようになっており、その外周面には滑り止めのゴム層が設けられている。ズーム操作環１８は、変倍動作（ズーミング）の際に、ユーザによって回転されるものである。
【００２８】
また、ズーム駆動筒１６は、その内側に設けられたズーム用案内筒２２に対して回転可能とされている。ズーム用案内筒２２には、図２、図３の下半部に示すように、逃げ溝２２ａが貫通形成され、このズーム用案内筒２２と、ズーム駆動筒１６に貫通形成された直進溝１６ｂとには、固定筒１０の内側に設けられたカムリング２０に固定された回転連結部材２１が係合している。カムリング２０には、固定筒１０の内側に突設されたカムピン１０ｄと係合するカム溝２０ｅが形成されている。
【００２９】
上記構造によると、ズーム操作環１８が回転されると、駆動力伝達ピン１９の作用によりズーム駆動筒１６が回転し、その回転とカムピン１５の作用により、１群レンズ摺動筒１１が前後方向（光軸ＡＸに沿った方向）に移動する。また、ズーム操作環１８の回転により、ズーム駆動筒１６が回転すると、この回転力が回転連結部材２１を介してカムリング２０に伝達するため、カムリング２０は回転しながら前後方向に移動する。なお、ズーム用案内筒２２は、回転せずにズーム駆動筒１６とともに前後方向に移動する。
【００３０】
なお、ズーム操作環１８と１群レンズ摺動筒１１との間には、カバー筒１７が設けられている。このカバー筒１７は、図２、図３に示すように、１群レンズ摺動筒１１に連れ従って前後方向に移動して、ズーム操作環１８と１群レンズ摺動筒１１との間を封止し、レンズ鏡筒１００内への塵埃の浸入を防止する。
【００３１】
図４は、２群レンズ摺動筒の近傍を取り出して示す図である。図４に示すように、２群レンズ摺動筒１２は、２群レンズＬ２を保持する保持筒２４と、保持筒２４に固定された押さえ環２６と、保持筒２４の外周を取り囲む状態で設けられた係合筒２８と、を有する。保持筒２４と押さえ環２６とは、ネジ止め等により固定され、２群レンズＬ２の外縁部を挟持する。
【００３２】
係合筒２８には、ガイドバー３０Ａの一端（前側端部）が固定されている。なお、ガイドバー３０Ａは、係合筒２８に対して、接着又は圧入などの処理を経て固定されている。
【００３３】
また、係合筒２８には、ガイドバー３０Ｂの一端（前側端部）が係合した状態となっている。図５（ａ）には、ガイドバー３０Ｂが係合する係合筒２８の一部及びガイドバー３０Ｂの一端近傍が斜視図にて示され、図５（ｂ）には、当該部分を図５（ａ）の矢印方向から見た状態が模式的に示されている。これらの図に示すように、ガイドバー３０Ｂには、係合溝１３０ａ，１３０ｂ（係合溝１３０ｂについては、図５（ｂ）参照）が形成されている。これら係合溝１３０ａ，１３０ｂは、２群レンズＬ２の径方向に沿ってガイドバー３０Ｂに形成されている。
【００３４】
一方、係合筒２８は、２群レンズＬ２の径方向に沿って形成された係合部１２８ａと、ガイドバー３０Ｂの一端との接触を回避するための空間（逃げ部）１２８ｂとを有する。ガイドバー３０Ｂは、図５（ａ）の矢印に沿って、係合筒２８の係合部１２８ａに係合される。なお、図５（ｃ）には、図５（ｂ）の状態から、ガイドバー３０Ｂを係合部１２８ａに係合させた状態が示されている。
【００３５】
ここで、ガイドバー３０Ｂは、図５（ｃ）のように係合筒２８に係合しているため、ガイドバー３０Ｂの係合筒２８に対する光軸ＡＸ方向の移動は規制された状態となっている。一方、ガイドバー３０Ｂの２群レンズＬ２の径方向への移動は許容された状態となっている。
【００３６】
なお、図４に示すように、２本のガイドバー３０Ａ，３０Ｂは、ガイドパイプ３６Ａ，３６Ｂと同様、光軸ＡＸを挟んで上下対称な位置（１８０°対向する位置）に配置されている。
【００３７】
図２に戻り、ガイドバー３０Ａは、固定筒１０に支持されたガイドパイプ３６Ａにスライド可能に挿入される。また、ガイドバー３０Ｂは、固定筒１０に支持されたガイドパイプ３６Ｂにスライド可能に挿入される。ここで、ガイドパイプ３６Ａの内径は、ガイドバー３０Ａの直径と略同一、すなわち、２群レンズ摺動筒１２のスライドに支障が無い程度の隙間が形成される寸法（嵌合ガタが必要最小限）に設定されている。同様に、ガイドパイプ３６Ｂの内径は、ガイドバー３０Ｂの直径と略同一、すなわち、２群レンズ摺動筒１２のスライドに支障が無い程度の隙間が形成される寸法（嵌合ガタが必要最小限）に設定されている。なお、嵌合ガタを必要最小限とするのは、２群レンズＬ２の光学性能を確保するためである。
【００３８】
なお、ガイドバー３０Ａ，３０Ｂ及びガイドパイプ３６Ａ，３６Ｂの材料としては、強度が高く、軽量な材料、例えばステンレスなどを採用することができる。
【００３９】
ここで、本実施形態では、上述したように、２群レンズＬ２に対するガイドバー３０Ｂの光軸ＡＸ方向への移動が規制されている。このため、２群レンズ摺動筒１２がガイドバー３０Ａとガイドパイプ３６Ａによりガイドされて光軸ＡＸ方向に移動する際、ガイドバー３０Ｂも、ガイドパイプ３６Ｂにガイドされてガイドバー３０Ａと同様に光軸ＡＸ方向に移動する。一方、ガイドバー３０Ｂは係合筒２８に対し２群レンズＬ２の径方向には拘束されていないので、ガイドバー３０Ａ，３０Ｂやガイドパイプ３６Ａ，３６Ｂの固定筒１０基準の直角度の精度や各部材の真直度の精度が多少低くても、ガイドバー３０Ｂとガイドパイプ３６Ｂとの間の過剰拘束による作動不良の発生を、ガイドバー３０Ｂの係合筒２８に対する移動により回避することができる。これにより、固定筒１０基準の直角度や真直度確保のために、非常に高度な加工精度・組立精度の確保が不要となり、またこれに伴う多大な工数が不要となるため、製造におけるコストアップを回避することが可能となる。
【００４０】
係合筒２８の外周面の一部には、図２に示すように、突起状のフォロワ２８ａが形成されている。このフォロワ２８ａは、係合筒２８の外側に設けられた連動リング３２の周溝３２ｃと係合している。なお、フォロワ２８ａは、ガイドバー３０Ａの近傍、すなわち、ガイドバー３０Ａの中心軸を延長した延長軸の近傍に配置されている。
【００４１】
この周溝３２ｃが形成されている連動リング３２には、更に、連動溝３２ａと、カムフォロワ３２ｂとが形成されている。連動溝３２ａには、略Ｌ字状の形状を有する連動キー３４の一端部が係合している。この連動キー３４は、図２、図３に示す、固定筒１０の外周部に設けられたピントリング３７に接続されており、ピントリング３７の光軸ＡＸ回りの回転に伴って、光軸ＡＸを中心とした回転方向に移動する。このように、連動キー３４が光軸ＡＸを中心とした回転方向に移動すると、連動リング３２が光軸ＡＸ回りに回転する。また、連動キー３４は、固定筒１０のモータ室１０ｃ内に設けられたモータ３８にも接続されている。したがって、連動リング３２は、モータ３８の回転動作に伴う連動キー３４の光軸ＡＸを中心とした回転方向への移動によっても、光軸ＡＸ回りに回転する。
【００４２】
カムフォロワ３２ｂは、カムリング２０に形成されたカム溝２０ｂに係合している。したがって、連動リング３２が回転した場合には、連動リング３２及びこれに連結している部材（２群レンズ摺動筒１２、ガイドバー３０Ａ，３０Ｂ、２群レンズＬ２）が、カム溝２０ｂとカムフォロワ３２ｂの作用により、前後方向に移動するようになっている。この前後方向の移動において、連動リング３２は、光軸ＡＸ回りに回転しながら前後方向に移動するが、ガイドバー３０Ａ，３０Ｂの移動方向は、ガイドパイプ３６Ａ、３６Ｂにより前後方向にのみ規制されているので、ガイドバー３０Ａ，３０Ｂに接続されている２群レンズ摺動筒１２及び２群レンズＬ２は、回転することなく前後方向に移動する。なお、カムフォロワ３２ｂは、ガイドバー３０Ａの近傍、すなわち、ガイドバー３０Ａの中心軸を延長した延長軸の近傍に配置されている。
【００４３】
図６は、３，５群レンズ摺動筒１３、４群レンズ摺動筒１４及びその近傍を取り出して示す図である。この図６に示すように、３，５群レンズ摺動筒１３は、３群レンズＬ３と５群レンズＬ５とを光軸ＡＸ方向に所定間隔あけた状態で保持する。
【００４４】
３，５群レンズ摺動筒１３は、ガイドパイプ３６Ａに係合する２つの係合部１３ａ，１３ｂと、ガイドパイプ３６Ｂに係合する１つの係合部１３ｃを有している。また、４群レンズ摺動筒１４は、ガイドパイプ３６Ａに係合する２つの係合部１４ａ，１４ｂと、ガイドパイプ３６Ｂに係合する係合部１４ｃとが設けられている。
【００４５】
係合部１３ｂ、１３ａ、１４ａ及び１４ｂは、円形の貫通孔を有している。この貫通孔は、ガイドパイプ３６Ａとほぼ同径であり、３，５群レンズ摺動筒１３及び４群レンズ摺動筒１４は、貫通孔にガイドパイプ３６Ａが挿入された状態で、ガイドパイプ３６Ａにより前後方向にガイドされる。ここで、ほぼ同径とは、３，５群レンズ摺動筒１３のスライドに支障が無い程度の隙間が、ガイドパイプ３６Ａと貫通孔の間に形成される寸法を意味する。ガイドパイプ３６Ａは、３，５群レンズ摺動筒１３及び４群レンズ摺動筒１４の自重を指示する。一方、係合部１３ｃ及び１４ｃは、Ｕ字溝を有する。Ｕ字溝の幅は、ガイドパイプ３６Ｂの直径と略同一、すなわち、３，５群レンズ摺動筒１３及び４群レンズ摺動筒１４のスライドに支障が無い程度の隙間が形成される寸法に設定されている。３，５群レンズ摺動筒１３及び４群レンズ摺動筒１４では、ガイドパイプ３６ＢにＵ字溝が係合することにより、ガイドパイプ３６Ａを中心とした回転方向の動きが抑制されている。なお、係合部１３ｃ及び１４ｃには、Ｕ字溝に代えて、径方向に長い長円孔を形成しても良い。
【００４６】
次に、図２、図３等に基づいて、ズーム動作を行うとき（ズーミング）の各レンズＬ２〜Ｌ５の移動動作、及びピントを合わせるとき（フォーカシング）の各レンズＬ２〜Ｌ５の移動動作について説明する。
【００４７】
まず、ズーミングのときの各レンズの移動動作について説明する。ここでは、レンズ鏡筒１００が広角端にある状態（図２）から、望遠端にズームされるまで（図３）の動作について説明する。
【００４８】
図２の状態から、ユーザによりズーム操作環１８（図２等参照）が回転されると、前述したように回転連結部材２１等を介してカムリング２０が回転される。この回転に伴い、連動リング３２にもカムフォロワ３２ｂを介して、回転力と前方向の移動力とが作用するが、連動リング３２は、連動溝３２ａと係合する連動キー３４（固定状態）により、前後方向にのみガイドされているので、回転することなく前側に直進する。また、この連動リング３２の直進に伴って、連動リング３２に係合する係合筒２８（すなわち２群レンズ摺動筒１２）、及び２群レンズＬ２が前方向に移動する。
【００４９】
更に、カムリング２０の回転は、カムフォロワ３５，４５を介して係合している３，５群レンズ摺動筒１３及び４群レンズ摺動筒１４（３〜５群レンズＬ３〜Ｌ５）も前方向に移動させる。なお、レンズＬ３，Ｌ５とレンズＬ４の移動距離は、カムフォロワ３５及びカムフォロワ４５が係合するカム溝２０ｃ，２０ｄの形成方向（角度）によって異なる。なお、カムリング２０自体も前方向に移動するため、各レンズＬ３〜Ｌ５の実際の移動距離は、カムリング２０の移動距離と、カム溝２０ｃ，２０ｄによるカムフォロワ３５，４５の移動距離との合計距離となる。
【００５０】
このように、ズーミングのときには、ズーム操作環１８の回転動作に伴って、２〜５群レンズＬ２〜Ｌ５（及び説明、図示を省略している１群レンズＬ１）のそれぞれが前方向に、別々の距離（ただし、レンズＬ３とＬ５は同一距離）だけ移動するようになっている。
【００５１】
次に、フォーカシングのときの各レンズの移動動作について説明する。
【００５２】
まず、ピントリング３７がユーザにより回転されるか、あるいはモータ３８が回転駆動されることにより、連動キー３４が光軸ＡＸを中心とする回転方向に移動すると、前述したように、連動キー３４に係合する連動リング３２が光軸ＡＸ回りに回転する。この回転により、連動リング３２は、カムフォロワ３２ｂをカムリング２０のカム溝２０ｂに沿わせて、前方向にも移動する。そして、この連動リング３２の回転方向及び前方向の移動により、連動リング３２の周溝３２ｃに係合したフォロワ２８ａを有する係合筒２８（すなわち２群レンズ摺動筒１２）及び２群レンズＬ２も前方向に移動することになる。ここで、カムフォロワ３２ｂ及びフォロワ２８ａは、ガイドバー３０Ａの近傍に配置されているので、連動リング３２及び係合筒２８に対して光軸ＡＸ方向の駆動力を効率的に作用させることができる。
【００５３】
一方、カムリング２０は、無回転の固定状態にあるため、３群〜５群レンズＬ３〜Ｌ５は前（後）方向に移動しない。また、説明及び図示を省略している１群レンズＬ１も前（後）方向に移動することはない。
【００５４】
このように、フォーカシングのときには、連動キー３４の回転動作に伴って、２群レンズＬ２のみが前（後）方向に移動するようになっている。この場合、２群レンズ摺動筒１２に固定されたガイドバー３０Ａ，３０Ｂには、３，５群レンズ摺動筒１３や４群レンズ摺動筒１４は直接接触していないので、２群レンズ摺動筒１２の前（後）方向への移動が、３，５群レンズ摺動筒１３や４群レンズ摺動筒１４により邪魔されることはない。
【００５５】
なお、フォーカシング時のモータ３８の回転は、図１の主制御部２５０が、焦点検出装置２３０の検出結果に基づいて制御する。すなわち、主制御部２５０によるモータ３８の回転制御により、オートフォーカスが実行される。なお、レンズ鏡筒１００と、撮像部２００との間は、レンズ鏡筒１００と撮像部２００との間に設けられる接続端子により電気的に接続されており、これにより、レンズ鏡筒１００（例えばモータ３８など）に、撮像部２００側から電力が供給されるようになっている。
【００５６】
以上説明したように、本実施形態によると、固定筒１０に設けられた光軸ＡＸ方向に延びるガイドパイプ３６Ａ，３６Ｂの内周面に沿って、２群レンズＬ２を保持する２群レンズ摺動筒１２に設けられたガイドバー３０Ａ，３０Ｂがスライドし、３群レンズＬ３及び５群レンズＬ５を保持する３，５群レンズ摺動筒１３、及び４群レンズＬ４を保持する４群レンズ摺動筒１４が、ガイドパイプ３６Ａ，３６Ｂの外周面に沿って光軸ＡＸ方向にスライドする。これにより、各レンズ摺動筒１２，１３，１４を、同一部材に沿って移動させることができるので、レンズ鏡筒１００内の構造の簡素化を図ることが可能である。また、本実施形態では、一対のガイドバー３０Ａ，３０Ｂのうち一方のガイドバー３０Ａは、その一端部（前側端部）において２群レンズ摺動筒１２（係合筒２８）に固定され、他方のガイドバー３０Ｂは、その一端部（前側端部）において２群レンズ摺動筒１２（係合筒２８）に係合しており、当該係合により、他方のガイドバー３０Ｂは２群レンズ摺動筒１２（係合筒２８）に対して光軸ＡＸ方向の移動が規制され、２群レンズＬ２の径方向に移動可能とされている。これにより、ガイドバー３０Ａ，３０Ｂやガイドパイプ３６Ａ，３６Ｂの固定筒１０基準の直角度の精度や各部材の真直度の精度が多少低くても、ガイドバー３０Ｂとガイドパイプ３６Ｂとの間の過剰拘束による作動不良の発生を、ガイドバー３０Ｂの係合筒２８に対する移動により回避することができる。したがって、固定筒１０基準の直角度や真直度確保のために、非常に高度な加工精度・組立精度の確保が不要となり、またこれに伴う多大な工数が不要となるため、製造におけるコストアップを回避することが可能となる。
【００５７】
また、本実施形態では、３，５群レンズ摺動筒１３及び４群レンズ摺動筒１４は、２群レンズ摺動筒１２に設けられたガイドバー３０Ａ，３０Ｂとは非接触であるため、フォーカシング時など、２群レンズ摺動筒１２が単独で移動するような場合にも、他の摺動筒１３，１４が、ガイドバー３０Ａのスライドを妨げることがない。これにより、２群レンズ摺動筒１２を移動させるのに必要な力を低減することができるので、モータ３８の負担又はピントリング３７を回転するユーザの負担を軽減することができる。
【００５８】
また、本実施形態では、ガイドバー３０Ｂの一端部（前側端部）近傍に、２群レンズＬ２の径方向に延びる係合溝１３０ａ，１３０ｂが形成され、係合筒２８に、当該係合溝１３０ａ，１３０ｂに係合する係合部１２８ａが設けられている。これにより、ガイドバー３０Ｂの係合筒２８に対する光軸ＡＸ方向の移動を簡易に規制することができるとともに、２群レンズＬ２の径方向の移動を簡易に許容することが可能なる。
【００５９】
また、本実施形態では、ガイドパイプ３６Ａ、３６Ｂ及びガイドバー３０Ａ，３０Ｂが、レンズ鏡筒１００の光軸ＡＸを基準として１８０度対向する位置に配置されているので、ガイドバー３０Ａ，３０Ｂの距離を極力大きくとることができる。これにより、２群レンズ摺動筒１２の光軸ＡＸ方向周りの回転をガイドバー３０Ｂで規制する際に必要な力を小さくすることができ、ひいては、ガイドバー３０Ｂにかかる力及び変形等を小さくすることができる。
【００６０】
なお、上記実施形態では、係合筒２８に対してガイドバー３０Ａが固定され、ガイドバー３０Ｂが係合される場合について説明したが、これに限られるものではない。例えば、係合筒２８に対してガイドバー３０Ａが係合され、ガイドバー３０Ｂが固定されてもよい。また、上記実施形態では、係合筒２８とガイドバー３０Ｂとが、図５（ａ）のような構造により係合する場合について説明したが、これに限られるものではない。ガイドバー３０Ｂの係合筒２８に対する光軸ＡＸ方向の移動が規制され、２群レンズＬ２の径方向の移動が許容されるのであれば、その他の構造により係合を実現することとしてもよい。
【００６１】
なお、上記実施形態では、ガイドパイプ３６Ａ、３６Ｂ及びガイドバー３０Ａ，３０Ｂが、レンズ鏡筒１００の光軸ＡＸを基準として１８０度対向する位置に配置される場合について説明したが、これに限られるものではない。その他の位置関係で、ガイドパイプ３６Ａ，３６Ｂ及びガイドバー３０Ａ，３０Ｂをレンズ鏡筒１００内に配置することとしてもよい。
【００６２】
なお、上記実施形態では、ズーミングの際に、１〜５群レンズＬ１〜Ｌ５のすべてが光軸ＡＸ方向に移動し、フォーカシングの際には、２群レンズＬ２のみが光軸ＡＸ方向に移動する場合（内焦式）について説明したが、これに限られるものではない。例えば、フォーカシングの際に、２群レンズＬ２以外のレンズＬ１、Ｌ３〜Ｌ５のいずれかが光軸ＡＸ方向に移動するようにしても良い。このうち、フォーカシングを１群レンズＬ１の移動により実行する方式は、前玉繰り出し方式と呼ばれる。また、フォーカシングの際に、１〜５群レンズＬ１〜Ｌ５のすべてのレンズ又はこれらのうちの複数のレンズが移動するようにしても良い。このうち、すべてのレンズが移動する方式は全体繰り出し方式と呼ばれる。
【００６３】
なお、上記実施形態では、ガイドパイプ３６Ａ，３６Ｂが、固定筒１０と別体で構成され、固定筒１０によりガイドパイプ３６Ａ，３６Ｂが支持されている場合について説明したがこれに限られるものではない。例えば、ガイドパイプ３６Ａ，３６Ｂと固定筒１０とが一体成型されていても良い。
【００６４】
また、上記実施形態では、３群レンズＬ３と５群レンズＬ５が、共通のレンズ摺動筒１３により保持される場合について説明したが、これに限らず、３群レンズＬ３と５群レンズＬ５は、別々のレンズ摺動筒により保持されても良い。
【００６５】
また、上記実施形態のレンズの数やレンズ配置は一例である。すなわち、レンズ鏡筒としては、ガイドバーに固定された一のレンズ摺動筒に保持されるレンズと、ガイドパイプの外周面に沿ってスライドする他のレンズ摺動筒に保持されるレンズとを、少なくとも有していれば良い。
【００６６】
なお、上記実施形態では、カムフォロワやフォロワなどの凸状の部材（部分）が設けられた部材に、当該凸状の部材（部分）に代えて、カム溝、周溝などの凹状の部分を設けることとし、カム溝、周溝などの凹状の部分が設けられた部材に、凹状の部分に代えて、カムフォロワやフォロワなどの凸状の部材（部分）を設けることとしても良い。
【００６７】
上述した実施形態は本発明の好適な実施の例である。但し、これに限定されるものではなく、本発明の要旨を逸脱しない範囲内において種々変形実施可能である。
【符号の説明】
【００６８】
１０  固定筒
１２  ２群レンズ摺動筒
１３  ３，５群レンズ摺動筒
１４  ４群レンズ摺動筒
３０Ａ，３０Ｂ  ガイドバー
３６Ａ，３６Ｂ  ガイドパイプ
１００  レンズ鏡筒
１２８ａ  係合部
１３０ａ，１３０ｂ  係合溝
２００  撮像部
５００  カメラ
Ｌ２  ２群レンズ
Ｌ３  ３群レンズ
Ｌ４  ４群レンズ
Ｌ５  ５群レンズ
【図１】
0005895550.tif 000002
【図２】
0005895550.tif 000003
【図３】
0005895550.tif 000004
【図４】
0005895550.tif 000005
【図５】
0005895550.tif 000006
【図６】
0005895550.tif 000007